(57)【要約】【課題】母樹をあまり傷つけることなく、緑枝挿しによる木本性植物の繁殖に必要な発根率の高い挿し穂を少ない労力で量産することができるため、実用化し易い木本性植物の繁殖方法を提供する。【解決手段】この発明の木本性植物の繁殖方法は、落葉した母樹を低照度環境下で栽培して葉を生じさせ、この葉を含む緑枝を挿し穂として使用する。ここで、低照度とは、栽培期間の最大照度で表せば１〜２００００ルクス、好ましくは１０００〜５０００ルクスの範囲内であり、明期の平均照度で表せば５０〜３０００ルクス程度の照度である。また、低照度環境下での栽培とは、具体的には、暗所に置いた植木鉢で母樹を栽培したり、母樹を栽培しているガラスハウス等を寒冷紗等の遮光材で覆って栽培したり、母樹そのものを遮光材で覆って栽培することをいう。【特許請求の範囲】
【請求項１】
落葉した母樹を低照度環境下で栽培して葉を生じさせ、この葉を含む緑枝を挿し穂として使用する木本性植物の繁殖方法。
【請求項２】
落葉した母樹を最大照度が１ルクスから２００００ルクスの環境下で栽培して葉を生じさせる請求項１に記載の木本性植物の繁殖方法。
【請求項３】
落葉した母樹を最大照度が１０００ルクスから５０００ルクスの環境下で栽培して葉を生じさせる請求項１に記載の木本性植物の繁殖方法。
【請求項４】
落葉した母樹を明期の平均照度が５０ルクスから３０００ルクスの環境下で栽培して葉を生じさせる請求項１に記載の木本性植物の繁殖方法。
【請求項５】
木本性植物がカキである請求項１から請求項４のいずれかに記載の木本性植物の繁殖方法。
【発明の詳細な説明】
【技術分野】
【０００１】
この発明は、カキをはじめとする木本性植物の繁殖方法に関し、特に木本性植物の緑枝挿しによる繁殖方法に関する。
【背景技術】
【０００２】
挿し木法は、植物の増殖方法の分野では無性繁殖法に属し、種子による繁殖法である有性繁殖法とは異なり、母樹から切り離した緑枝、休眠枝、熟枝などの挿し穂を、挿し床に挿して発根させ苗木となるまで栽培するものである。そのため、母樹と同じ形質（特徴）の植物体を繁殖できるという利点を備えており、挿し木法は、優良な植物個体から優良な苗木を大量に生産する技術として一般に行われている。なお、挿し木法により生産された苗木は、種子から生産された苗木と同様、果樹園や山林などに移植され、果実や木材の生産、環境の保護などに供されている。
【０００３】
さて、上記のように挿し穂を挿し床に挿した際に、挿し穂が発根する割合（以下、発根率という。）は、木本性植物ではあまり高くなかった。そのため、従来から発根率を高くする挿し木法の開発が望まれており、様々な研究が行われてきている。このような研究としては、例えば、ひこばえや黄化処理を使用する繁殖方法（非特許文献１及び非特許文献２を参照。）、挿し穂の表皮を削ぐ方法（特許文献１を参照。）、挿し穂の切り口を薬品などにより処理する方法（特許文献２を参照。）等が挙げられる。
【０００４】
ここで、ひこばえを使用する繁殖方法とは、母樹の地上部を切り倒して、その切り株の周囲に籾殻などを散布したのち、切り株の周りに張った根から生える若芽（ひこばえ）をそのまま挿し穂として使用する方法である。また、黄化処理を使用する繁殖方法とは、母樹を一定期間光が当たらない環境（暗黒下）で栽培することにより、黄白色の葉枝（シュート）を発生させ、この黄化したシュートの基部を黒布、黒紙、アルミホイルなどの遮光材で覆ったのち、挿し穂を覆う遮光材を少しずつ剥きながら基部以外を緑化させ、これを母樹から切り離して挿し穂として挿し床に挿すことにより、挿し穂の発根を促す方法である。さらに、挿し穂の表皮を削ぐ方法とは、挿し穂として切り取られた枝の切断面近傍の表皮を削ぐことにより挿し穂の発根を促す方法であり、挿し穂の切り口を薬品などにより処理する方法とは、挿し穂の切り口にキトサンなどの多糖類やインドール酢酸などの植物ホルモンを浸すことにより挿し穂の発根を促す方法である。
【０００５】
しかし、これらの繁殖方法には次に掲げるような問題点があった。まず、ひこばえを使用する繁殖方法においては、繁殖する際に母樹を切断するため、その母樹からは切断した後は果実が取れなくなってしまうとの問題点があった。また、いずれの繁殖方法においても、母樹の切り倒しや籾殻の散布、遮光材による葉枝の被覆やその除去、表皮の削除、薬品処理等に多大な労力を必要とするため、実用化が難しいとの問題点があった。
【特許文献１】特開平１１−６９９１２号公報
【特許文献２】特開２００２−３４３２８公報
【非特許文献１】鉄村ら、“カキ休眠枝挿し穂の発根に及ぼす要因について”、園芸学会雑誌、７０（２）、２００１、ｐ１６３−１６９
【非特許文献２】鉄村ら、“カキ緑眠枝挿し穂の発根に及ぼす要因について”、園芸学会雑誌、７０（３）、２００１、ｐ２７５−２８０
【発明の開示】
【発明が解決しようとする課題】
【０００６】
そこで、この発明は、母樹をあまり傷つけることなく、黄化（暗黒）処理など煩雑な前処理を行うことなく、植物に緑枝挿しによる木本性植物の繁殖に必要な発根率の高い挿し穂を少ない労力で量産することができ、実用化し易い木本性植物の繁殖方法を提供すること、を課題とする。
【課題を解決するための手段】
【０００７】
この発明の木本性植物の繁殖方法は、葉が生えることができる最小限の量に光の量（照度）を制限した環境下で母樹を栽培して葉を発生させ、この葉を含む緑枝を挿し穂として使用することを最大の特徴とする。
【発明の効果】
【０００８】
この発明の木本性植物の繁殖方法により、発根率の高い挿し穂が少ない労力、すなわち低コストで量産できるようになった。そのため、優れた性質を持った木本性植物を選抜して繁殖することができるようになり、例えば、品質のよい果実や疾病に強い果実を量産できるようになった。
【発明を実施するための最良の形態】
【０００９】
この発明の木本性植物の繁殖方法は、落葉した母樹を低照度環境下で栽培して葉を生じさせ、この葉を含む緑枝を挿し穂として使用する。そこで、以下にこの内容について詳説する。
【００１０】
（この発明の繁殖方法が適用可能な本木性植物）
前記木本性植物としては、カキ、ウメ、カンキツ、カラタチ、クリ、クルミ、ヤマモモなどが例示でき、なかでも商業的価値や他の方法での繁殖が困難であることからカキが好ましい。また、落葉した母樹としては、自然に落葉したものや、人手によって葉を取り除いたものなどが例示できるが、作業コストを考えると自然に落葉したものが好ましい。
【００１１】
（低照度下での栽培）
前記の母樹をその幹や枝の芽が萌芽しかけてから薄黄緑色の葉が２枚〜２０枚程度展開するまで、約１０日〜約９０日程度低照度環境下で栽培する。ここで、低照度環境とは、最大照度で表せば１〜２００００ルクス、好ましくは１０００〜５０００ルクスの範囲内の環境であり、明期の平均照度で表せば５０〜３０００ルクス程度の環境である。なお、上記照度の値はルクス計などによって、常識的な日照時間（８時間から１６時間程度）の間に、定法に従って測定したものである。また、低照度環境下での栽培とは、具体的には、暗所に置いた植木鉢で母樹を栽培したり、母樹を栽培しているガラスハウス等を寒冷紗等の遮光材で覆って栽培したり、母樹そのものを遮光材で覆って栽培することをいう。さらに、母樹を栽培する際の温度、湿度などについては、木本性植物を栽培する際の通常の温度、湿度であれば特に問題はないが、温度は１０〜４０℃が好ましく、湿度は飽和水蒸気量に対して１０〜９０％程度が好ましい。
【００１２】
（緑枝の切断）
前記葉を含む緑枝を母樹から、鎌や鉈などの通常の農作業具やナイフ等により切断する。緑枝基部の切断形態としては、枝長手方向とほぼ直角に切断する「水平切り」、枝長手方向に対し斜めに切断する「斜め切り」、斜め切りした枝の切断先端を斜めに切り返す「斜め切返し」、切断部分の形状を下細の三角錐形状に切断する「三角切り」、水平切りした切断面に枝長手方向の割り込みを入れた「割り挿し」、割り挿しの割り込み部分に小枝などを差し込んで二股状にした「はさみ挿し」などが知られている（花卉園芸ハンドブック、養賢堂、第１９２ページ）が、木本性植物の種類に応じて好適な切断形態を採用すればよい。また、挿し穂を切る場所は、茎の先から８〜４０ｃｍの場所で、葉が１〜５枚ついた枝を調製できる場所がよい。
【００１３】
（苗木の作出）
さらに、母樹から切断した緑枝葉を挿し床に挿して発根させ、苗木として使用可能な大きさになるまで約７日〜約６０日程度栽培する。ここで、栽培に使用する挿し床としては、特に限定されないが、オアシス（商標、ＳＭＩＴＨＥＲＳ−ＯＡＳＩＳ社製の挿し木用培地、製品形式Ｐ１）、ロックウール、ソイルブロック、赤土、赤玉土、鹿沼土、ピートモス、ミズゴケ、バーク、バーミキュライト、パーライトなどを、単独であるいは複数種を適宜併用することができる。また、栽培に際しては、緑枝が蒸散作用などにより水分を多量に消費するので、３０〜９０％遮光し、葉水、ミスト、フォグなどにより、挿し穂が乾燥しないようにして栽培する必要があり、挿し穂の生育を促進するため、炭酸ガスの濃度が５００〜４０００ｐｐｍの環境で栽培するのが好ましい。
【００１４】
（苗木の栽培）
このようにして作出した苗木は、通常の方法により屋外圃場、ガラスハウス、山林などに移植して、果樹の生産、環境の保護の用途に使用することができる。
【００１５】
上記のように、この発明にかかる木本性植物の繁殖方法は、母樹を暗所に置いた植木鉢で栽培したり、母樹を寒冷紗で覆ったガラスハウス内で栽培したりするなど、母樹を低照度環境下で栽培するだけで、言い換えるならば、多大な労力を必要とせずに、発根率の高い挿し穂を得ることができる。
【００１６】
なお、この発明にかかる木本性植物の繁殖方法は、上記の手順に加えて、従来からある発根促進処理を併用することも可能である。例えば、前記特許文献１に記載しているように、切断面近傍の表皮を削いだものを挿し穂として利用してもよい。また、１０-9Ｍ〜１０-2Ｍ濃度の発根促進ホルモン（例えば、オーキシンなど）や発根促進物質（例えば、エスレル，メネデール（商標、株式会社メネデール化学研究所製）など）を挿し穂あるいは挿し床に施用してもよい。
【００１７】
以下に、この発明を実施例に従ってさらに詳しく説明するが、この発明の特許請求の範囲は如何なる意味においても下記の実施例により限定されるものではない。
【実施例１】
【００１８】
母樹である落葉したカキ（品種：富有、長さ約２ｍ）を植えた植木鉢を、和歌山県農業協同組合連合会  営農対策部  植物バイオセンターの玄関（以下、実験区：玄関）、５０％寒冷紗で二重被覆したプラスティックフィルムハウス（以下、実験区：ハウス）、及び遮光していないガラスハウス（以下、実験区：実験対照）に配置し、２００４年４月２日から２００４年６月１日までの６０日間栽培した。なお、栽培期間中の最大照度及び明期の平均照度を下記の表１に示す。なお、表１に示す照度は、ルクス計（東京光電株式会社、ポケット照度計ＡＮＡ−５００型）により測定した。また、表１の照度欄にある「最大」とは栽培期間中の最大照度を示し、「平均」とは栽培期の明期の平均照度を示している。
【００１９】
６０日後、母樹から黄緑色の葉が生えた緑枝を葉が２枚付いた状態で基部を水平切りにより切断し、パーライト：バーミキュライト（１：１）を入れた育苗箱に緑枝挿しして、２００４年６月１日から２００４年７月１２日までの４２日間、５０％遮光のミスト付きハウスで栽培し、その発根率を調べた。その結果を表１に示す。
【００２０】
【表１】
2006204252.tif 000002
【００２１】
この表１からも明らかなように、高照度下で栽培した母樹（実験区：実験対照）から得られた挿し穂の発根率が０％であるのに対して、これよりも低照度下で栽培した母樹（実験区：ハウス）やさらに低照度下で栽培した母樹（実験区：玄関）から得られた挿し穂の発根率は、７５〜９５％と充分実用性のある値であった。しかも、この高い発根率は、母樹を低照度環境下で栽培することを除けば、通常の挿し木法とほぼ同様の労力だけで得ることができた。